(57)【要約】【課題】      健常者はもとより、高齢者や身体障害者が上着を装着する際、肌着の袖の捲り上がりを未然に防ぐことで、優れた利便性を実現できる袖保持具を提供すること。【解決手段】  本考案の袖保持具１は、手部装着具２と、かかる手部装着具２に設置された、肌着の袖２０の先端２１を挟持する挟持具３とで形成されていることを特徴とする。また前記手部装着具は、手首の周囲に装着される伸縮性バンドである。さらに前記手部装着具は、親指周囲に配設されるリング体であってもよい。【選択図】図１
0003125401.tif 000002
【実用新案登録請求の範囲】
【請求項１】
手部装着具と、かかる手部装着具に設置された、袖の先端を挟持する挟持具とで形成されていることを特徴とする袖保持具。
【請求項２】
前記手部装着具は、手首の周囲に装着される伸縮性バンドである請求項１記載の袖保持具。
【請求項３】
前記手部装着具は、親指周囲に配設されるリング体である請求項１記載の袖保持具。
【請求項４】
前記リング体に把持具を設置した請求項３記載の袖保持具。
【考案の詳細な説明】
【技術分野】
【０００１】  本考案は、高齢者や身体障害者が着替えをする際、肌着の袖が捲り上がるのを防止する袖保持具に関する。
【背景技術】
【０００２】  通常、セーターやトレーナー等の上着を装着する際、上着の袖に腕を通したときに長袖肌着の袖が捲り上がるという問題があった。そのため、健常者は予め指先で肌着の袖の先端を押さえていた。しかしながら、握力の衰えた高齢者や身体障害者においては、指で袖先を押さえることが困難なため、上着を装着した後、捲くり上がった袖を手首まで引き下げなければならなかった。【０００３】  また従来、表着等を着用したとき、衣類の一部を端折って撮み、撮んだ態様を保持する表着等の裾部、袖部等の吊り止め装置がある（例えば特許文献１参照）。
上掲特許文献１の表着等の裾部、袖部等の吊り止め装置は、表側に真珠、裏側に留針及びナス環を取付けた締め付け具本体と、両端部に小環体と、小環体とをそれぞれ設け、中間部に小真珠をそれぞれ数珠玉状に挿通したステンレスワイヤーと、小環体を接続するナス環を設けた鍔部を設け、留針を嵌合係止する中心穴をあけた係止具とによりなる。
【特許文献１】登録実用第３０２４９６４号公報（第１−２頁、図１）
【考案の開示】
【考案が解決しようとする課題】
【０００４】  しかしながら、上掲特許文献１の表着等の裾部、袖部等の吊り止め装置においては、部品点数が多くなり、さらに装飾性を向上させるためにコスト高になるという欠点があった。また衣類の一部を端折って撮み、撮んだ態様を保持するといったファッション性を重視するもので、高齢者や身体障害者への実用性や利便性を考慮するものではなかった。【０００５】  そこで本考案は上記の点に鑑み、健常者はもとより、高齢者や身体障害者が上着を装着する際、肌着の袖の捲り上がりを未然に防ぐことで、優れた利便性を実現できる袖保持具を提供することにある。
【解決を解決するための手段】
【０００６】  上記課題を解決するために本考案の袖保持具は、手部装着具と、かかる手部装着具に設置された、袖の先端を挟持する挟持具とで形成されていることを特徴とする。また前記手部装着具は、手首の周囲に装着される伸縮性バンドである。また前記手部装着具は、親指周囲に配設されるリング体であってもよい。さらに前記リング体に把持具を設置することが好ましい。
【考案の効果】
【０００７】  手首に袖保持具を装着し、挟持具にて肌着の袖の先端を挟持する。この状態で上着を着衣することにより、肌着の袖は手首に保持された状態となり、上方へ捲り上がることがない。そのために、握力の弱った高齢者や身体障害者においても、着衣時の利便性を高めることができる。また前記リング体に把持具を設置することにより、遊戯性とツボ刺激効果を付与することができる。
【考案を実施するための最良の形態】
【０００８】  以下、本考案の袖保持具における実施の形態を図面に基づいて説明する。
本考案の袖保持具１は、握力の衰えた高齢者や身体障害者が上着を装着する際、肌着の袖の捲り上がりを未然に防ぐことで、優れた利便性を実現できるものである。前記袖保持具１は、手部装着具２と、かかる手部装着具２に設置された、袖２０の先端２１を挟持する挟持具３とで形成されている。【０００９】  図１に示す袖保持具１の手部装着具２は、手首の周囲に装着される伸縮性バンドからなり、肌触りと通気性に優れた素材にて伸縮自在に形成されている。また前記手部装着具２の一部には、肌着等の袖２０の先端２１を挟持する挟持具３が設置されている。【００１０】  前記挟持具３は、撮部４を内側に撮み、挟持部５にて肌着の袖２０の先端２１を挟み、撮部４を離すことでバネ６の戻力により袖２０を保持するものである。また、前記挟持具３は、図２に示すように、リベット７にて手部装着具２の縁部に設置されている。【００１１】  次に、図３および図４に基づいて、本考案の袖保持具の使用例を説明する。
先ず、図３に示すように、手部装着具２を手首周囲に装着する。そして、挟持具３を操作して挟持部５にて肌着の袖２０の先端２１を挟持する。この状態で、図４に示すように、通常のようにセーターやトレーナー等の上着２２を着衣する。このとき、矢印に示すように上着２２の袖２３を身体側へ移動させた場合でも、肌着の袖２０は袖保持具１にて保持されているので、身体側へ捲くり上がることがない。そのことにより、握力の低下した高齢者や、指先の不自由な身体障害者でも、好適に上着の装着を行うことができる。なお、図中、挟持具３は手の甲側に装着されているが、これに限らず、手のひら側や手の左右部分に設置してもよい。さらに、状況に応じて、複数の挟持具３を手部装着具２に設置してもよい。【００１２】  また、他の好適例として、図５および図６に示すように、前記手部装着具１１を、親指周囲に配設されるリング体１２としてもよい。かかるリング体１２は、図５に示すように、親指周囲に配設されるように輪状に形成されている。この構造の袖保持具１０は、前記リング体１２の基部を係止具１３にて止め、係止具１３の先方の端部１４に挟持具３を連結することにより形成される。また使用方法は、図６に示すように、リング体１２を親指周囲に配設させ、挟持具３を操作して先端部５にて肌着の袖２０の端部２１を挟持する。そのことにより、前述同様に握力の低下した高齢者や、指先の不自由な身体障害者でも、好適に上着の装着を行うことができる。【００１３】また他の好適例として、図７の（ａ）に示すように、リング体１２に把持具１５を設置することが好ましい。前記把持具１５は（ｂ）に示すように、掌内に収まる大きさ、例えば２０〜３０ｍｍ程度の球体もしくは熊やウサギ等の形状に形成されている。また前記把持具１５は、リング体１２にスライド自在に装着されている。リング体１２に把持具１５を設置することにより、子どもに対しては遊戯性が得られ、高齢者においては操作性とツボ刺激効果を付与することができる。
【図面の簡単な説明】
【００１４】
【図１】本考案の袖保持部の全体斜視図である。
【図２】前記袖保持部の拡大断面図である。
【図３】本考案の袖保持部の装着状態を示す。
【図４】前記袖保持部の使用状態を示す。
【図５】他の好適例である袖保持部の全体斜視図である。
【図６】前記袖保持部の使用状態を示す。
【図７】リング体に把持具を設置した状態を表す。
【符号の説明】
【００１５】１    袖保持部
２    手部装着具
３    挟持具
４    撮部
５    挟持部
６    バネ
７    リベット
１０  袖保持部
１１  手部装着具
１２  リング体
１３  係止具
１４  端部
１５  把持具
２０  袖
２１  先端
２２  上着
２３  袖
【図１】
0003125401.tif 000003
【図２】
0003125401.tif 000004
【図３】
0003125401.tif 000005
【図４】
0003125401.tif 000006
【図５】
0003125401.tif 000007
【図６】
0003125401.tif 000008
【図７】
0003125401.tif 000009